(57)【要約】【課題】自動車の座席をフラットモードにした上面に、簡便にかつ安全にフラットフロアを構築できる自動車のフラットフロア構築用部材セット及びフラットフロア構築方法を提供する【解決手段】自動車の座席の背凭れを後方に倒してフラットモードとした上面にフラットフロアを構築するのに使用する自動車のフラットフロア構築部材セットであって、前後列の座席２０の背凭れ２１を後方に倒してフラットモードした上面に配置する太さの異なる複数本の横支持部材１と、該横支持部材１に支持される縦方向に複数枚に分割した平板部材２とよりなる。【選択図】図２
2015166231.tif 000002
【特許請求の範囲】
【請求項１】
自動車の座席の背凭れを後方に倒してフラットモードとした上面にフラットフロアを構築するのに使用する自動車のフラットフロア構築部材セットであって、前後列の座席の背凭れを後方に倒してフラットモードした上面に配置する太さの異なる複数本の横支持部材と、該横支持部材に支持される縦方向に複数枚に分割した平板部材とよりなる自動車のフラットフロア構築部材セット。
【請求項２】
先方の座席の前側に立設する複数本の縦支持部材を備え、該複数本の縦支持部材の上端に配置する横支持部材を備えた請求項１に記載の自動車のフラットフロア構築部材セット。
【請求項３】
前記フラットモードとした座席の上面に、さらに配置する隙間支持部材を備えた請求項１又２に記載の自動車のフラットフロア構築部材セット。
【請求項４】
前記縦方向に複数枚に分割した平板部材の全枚数又は少なくと一枚をさらに前後方向に２分割した請求項１〜３のいずれか１項に記載の自動車のフラットフロア構築部材セット。
【請求項５】
自動車の座席の背凭れを後方に倒してフラットモードとした上面をフラットフロアに構築する自動車のフラットフロア構築方法であって、前後２列の座席の背凭れを後方に倒してフラットモードした後に、該フラットモードのトップ高さ箇所を水平基準として、該水平基準に合うように太さの異なる複数本の横支持部材をフラットモードした座席の上面に配置して、前記トップ高さ箇所及び複数本の横支持部材の上端に平板部材を支持させて、該平板部材の上面によりフラットフロア構築したことを特徴とする自動車のフラットフロア構築方法。
【発明の詳細な説明】
【技術分野】
【０００１】  本発明は、自動車の座席の背凭れを後方に倒してフラットモードとした上面をフラットフロアにするための自動車のフラットフロア構築用部材セット及びフラットフロア構築方法に関するものである。
【背景技術】
【０００２】  座席の背凭れを後方に倒してフラットモードとすることにより、身体を横にしたり、足を伸ばしたり、またベッドとして使用できるレジャー向けの自動車がある。しかしながら、座席をフラットモードとした場合においても座席に形成された凹凸や段差により、快適性に欠けるものであった。【０００３】  そこで、凹凸や段差を解消してフラットフロアを構築できるものとして、下面に凹凸、段差の形状に嵌合する凹凸面を備えたマットが知れている（特許文献１、２参照）。
ところが、これはマットの下面の凹凸面が一定箇所にあるため、座席のサイズ、形状等が異なる車種に応じたマットを製造しなければならい問題がある。
【先行技術文献】
【特許文献】
【０００４】
【特許文献１】  特開平９−２８５３６４号公報
【特許文献２】  特開昭５７−２１１３１４号公報
【発明の概要】
【発明が解決しようとする課題】
【０００５】  本発明は従来の問題点を解決して、自動車の座席をフラットモードにした上面を、簡便にかつ安全にフラットフロアを構築できる自動車のフラットフロア構築用部材セット及びフラットフロア構築方法を提供することを目的として完成されたものである。
【課題を解決するための手段】
【０００６】  本発明にかかる自動車のフラットフロア構築用部材セットは、自動車の座席の背凭れを後方に倒してフラットモードとした上面にフラットフロアを構築するのに使用する自動車のフラットフロア構築部材セットであって、前後列の座席の背凭れを後方に倒してフラットモードした上面に配置する太さの異なる複数本の横支持部材と、該横支持部材に支持される縦方向に複数枚に分割した平板部材とよりなるものを基本の発明としたものである。【０００７】  また、前後列の座席の先方の座席の前側に立設する複数本の縦支持部材を備え、該複数本の縦支持部材の上端に配置する横支持部材を備えたものとしてもよい。【０００８】  また、前記フラットモードとした座席の上面に、さらに配置する隙間支持部材を備えたものとしてもよい。また、前記縦方向に複数枚に分割した平板部材の全枚数又は少なくとも一枚をさらに前後方向に２分割してもよい。【０００９】  また、本発明にかかる自動車のフラットフロア構築方法は、自動車の座席の背凭れを後方に倒してフラットモードとした表面にフラットフロアを構築する自動車のフラットフロア構築方法であって、前後列の座席の背凭れを後方に倒してフラットモードした後に、該フラットモードのトップ高さ箇所を水平基準として、該水平基準に合うように太さの異なる複数本の横支持部材をフラットモードした上面に配置して、前記トップ高さ箇所及び複数本の横支持部材の上端に平板部材を支持させて、該平板部材の上面によりフラットフロアを構築することを特徴とするものである。
【発明の効果】
【００１０】  前記した本発明にかかる自動車のフラットフロア構築用部材セットによれは、前後列の座席の背凭れを後方に倒してフラットモードにして、該フラットモード座席の上面に太さの異なる複数本の横支持部材を配置して、該複数本の横支持部材に縦方向に複数枚に分割した平板部材を支持すれば、該平板部材の上面によりフラットフロアを構築できるものである。すなわち、複数本の横支持部材は太さの異なるものであるから、座席の前後の凹凸箇所を選択して、該複数本の横支持部材の上端同士が水平となる箇所に配置できるので、該複数本の横支持部材に平板部材を支持して水平面としたフラットフロアを簡便にかつ安全に構築できるものである。【００１１】  このように構築されたフラットフロアは凹凸がないことから、快適に身体を横にしたり、足を伸ばしたり、また、ベッドして使用できるものである。また、フラットフロアの解除は、平板部材を取り除いたうえ横支持部材を取り除いて、背凭れを起立させれば容易に行えるものである。そして、本発明は、太さの異なる複数本の横支持部材と、複数枚に分割した平板部材とよりなるものであるから、座席の下や車庫にコンパクトに保管できるものである。【００１２】  また、前後列の座席の先方の座席の前側に立設する複数本の縦支持部材を備え、該複数本の縦支持部材の上端に配置する横支持部材を備えたものとすれば、平板部材の前後方向の先端も支持することとなり、より安定したフラットフロアを構築できるものである。なお、前後列の座席が前後３列の座席のうち運転席の後ろであれば、運手席とフラットフロアとの間を車内で行き来する場合に平板部材の先端が支持されているので、平板部材の先端に足をのせても該先端が落ち込むという不都合はないものである。【００１３】  また、前記フラットモードとした座席の上面に、さらに配置する隙間支持部材を備えたものにあっては、前記フラットモードのトップ高さ箇所を水平基準として、該トップ高さ箇所の横方向の底部箇所に該隙間支持部材を配置し、該隙間支持部材と前記トップ高さ箇所と該水平基準に合うようにした前記複数本の横支持部材の上端により平板部材を支持することとなり、より安定したフラットフロア構築できるものである。【００１４】  また、前記縦方向に複数枚に分割した平板部材の全枚数又は少なくとも一枚をさらに前後方向に２分割したものとすると、取扱いが容易となるものである。【００１５】  また、本発明にかかる自動車のフラットフロア構築方法によれば、前後列の座席の背凭れを後方に倒してフラットモードした後に、該フラットモードのトップ高さ箇所を水平基準として、該水平基準に合うように太さの異なる複数本の横支持部材をフラットモードした上面に配置して、前記トップ高さ箇所及び複数本の横支持部材の上端に平板部材を支持させて、該平板部材の上面によりフラットフロアを簡便にかつ安全に構築できるものである。
【図面の簡単な説明】
【００１６】
【図１】本発明の実施形態を示す概略説明図である。
【図２】本発明の実施形態を態様を異にして示す概略説明図である。
【図３】本発明の実施形態の概略側面図である。
【図４】本発明の実施形態に使用する部材セットの一例を示す斜視図である。
【図５】本発明の実施形態に使用する部材セットの保管状態の一例を示す斜視図である。
【図６】平板部材を全枚数を前後方向に２分割したものを示す斜視図であり、（イ）は分割した平板部材、（ロ）は分割した平板部材を折り畳み自在としたものを示す。
【図７】本発明の実施形態の他例を示す概略説明図である。
【発明を実施するための形態】
【００１７】  次に、本発明の実施形態を図を参照して説明する。
【００１８】  先ず、図１、図２、図３において、１０は本発明によりフラットフロアを構築する自動車であり、前後３列に座席を設けたものである。この実施形態は２列目及び３列目である前後列の座席２０の背凭れ２１を後方に倒して座面２２と略同じ水平にしてフラットモードにして、身体を横にしたり、足を伸ばしたり、また、ベッドして使用するものにおいて説明する。
【００１９】  本発明に係る自動車のフラットフロア構築用部材セットは、前記フラットモードにした前後列である２列目及び３列目の座席２０の上面にフラットフロアを構築するものである。
【００２０】  １は横支持部材であり、前後列の座席２０の背凭れ２１を後方に倒してフラットモードした上面に配置するものである。該横支持部材１はこの実施形態では図示のように太さの異なる複数本すなわち３本を備えたものである。この横支持部材１の２本は、フラットモードにした２列目及び３列目の座席２０の座面２２に載置するものである。
【００２１】  また、残りの横支持部材１は前後列の先方の座席２０の前側に立設する複数本すなわち３本の縦支持部材３の上端に配置するものである。なお、これらの横支持部材１は、２列目の座席２０の座面２２に載置する横支持部材１（１ａ）は太さを７０ｍｍ、３列目の座席２０の座面２２に載置する横支持部材１（１ｂ）は太さを３５ｍｍ、また、３本の縦支持部材３の上端に配置する横支持部材１（１ｃ）は太さを４０ｍｍとして、各横支持部材１の長さは自動車の内幅よりやや短い長さである１２６ｃｍとしたものである。なお、材料は木製角材を使用したが、これに限定さることなく、プラスチック、軽量金属を角パイプ状としたものであってもよい。
【００２２】  また、３本の縦支持部材３は直径７５ｍｍ、高さ４０ｃｍの円筒状の紙管よりなるものとして、上端に深さが３５ｍｍの幅３８ｍｍの嵌合凹部３ａを設けて前記横支持部材１（１ｃ）を上端が露出するように嵌合支持するものとしている。なお、縦支持部材３は前記の大きさ、材料に限定さるものではなく、これもプラスチック、軽量金属あってもよく、形状も円筒状に限らず角筒状としてもよい。
【００２３】  ２は縦方向に複数枚に分割した平板部材であり、該平板部材２は前記前後２列のフラットモードとした座席２０の上面に配置した太さの異なる複数本の横支持部材１（１ａ、１ｂ）に支持されて、該平板部材２の上面によりフラットフロアを構築するものである。なお、該平板部材２は板材を縦に３分割した縦１７３ｃｍ、幅４２ｃｍ、厚さ１３ｍｍのものを３枚より構成したものである。この平板部材２は充分に剛性があり、取扱いの容易な重量である桐集成材よりなるものとしている。因みに、桐集成材よりなる該平板部材２は３枚の全重量が約８ｋｇのものである。しかし、他の材料を使用してもよいことは勿論である。なお、平板部材２は分割したものを折り畳み自在に連結してもよいものである。また、取扱いが容易な点から平板部材２を３分割にしたものが好ましが、２枚、４枚としてよいものである。
【００２４】  さらに、前記縦方向に複数枚に分割した平板部材２の全枚数又は少なくとも一枚を前後方向に２分割したものとしてもよい。すなわち、図６（イ）に示すように平板部材２を全枚数を前後方向に２分割したり、また、図６（ロ）に示すように分割した平板部材２を折り畳み自在とすれば、狭い車内にあっても取扱いが容易となるものである。なお、平板部材２の全枚数のうち１枚、２枚を前記のように分割してもよい。
【００２５】  なお、前記したように残りの横支持部材１（１ｃ）を前後列の先方の座席２０の前側に立設した３本の縦支持部材３の上端に配置したものにあっては、平板部材２の前後方向の先端も支持することとなり、より安定したフラットフロアが構築できるものである。また、この実施形態のように、前後列の座席２０が前後３列の座席のうち運転席の後ろであれば、運手席とフラットフロアとの間を車内で行き来する場合に平板部材２の先端に足をのせても該先端が落ち込むという不都合はないものである。
【００２６】  前記したように、複数本の横支持部材１（１ａ、１ｂ）は太さの異なるものであるから、座席２０の前後の凹凸箇所を選択して、該複数本の横支持部材１（１ａ、１ｂ）の上端同士が水平となる箇所に配置できるので、該該複数本の横支持部材１（１ａ、１ｂ）に平板部材２を支持させることにより水平面としたフラットフロアを簡便にかつ安全に構築できるものである。
【００２７】  このように構築されたフラットフロアは凹凸がないことから、快適に身体を横にしたり、足を伸ばしたり、また、ベッドして使用できるものである。また、フラットフロアの解除は、平板部材２を取り除いたうえ横支持部材１を取り除いて、背凭れ２１を起立させれば容易に行えるものである。そして、フラットフロアを解除した太さの異なる複数本の横支持部材１と、複数枚に分割した平板部材２とよりなるものであるから、座席の下や車庫にコンパクトに保管できるものである。
【００２８】  また、前記フラットモードとした座席２０の上面に、さらに配置する隙間支持部材４を備えたものとすることができる。この隙間支持部材４は前記フラットモードのトップ高さ箇所を水平基準として、該トップ高さ箇所の横方向の底部箇所に該隙間支持部材４を配置し、該隙間支持部材４と前記トップ高さ箇所と該水平基準に合うようにした前記複数本の横支持部材１（１ａ、１ｂ）の上端により平板部材２を支持することとなり、より安定したフラットフロア構築できるものである。なお、前記トップ高さ箇所は、この実施形態にあっては２列目の座席２０の背凭れ２１の前側の中央部分Ａが当たるものである。
【００２９】  また、前記平板部材２を図５に示すように縦に３枚に分割したものを折り畳み自在に連結したものとすれば、保管も容易なものとなる。
【００３０】  なお、前記フラットモードした上面に配置する太さの異なる複数本の横支持部材１が２列目及び３列目の座席２０の座面２２に載置する２本であってもよい、この２本の横支持部材１でも前記平板部材２を的確に支持してフラットフロアを構築できるものである。
【００３１】  さらに、前記平板部材２の上面により形成したフラットフロアの表面にシート部材を敷いてもよいものであり、このシート部材５は図５に示すように部材セットを纏めて梱包するのに使用できるものである。
【００３２】  前記実施形態は、２列目及び３列目の座席２０の上面にフラットフロアを構築するものを説明したが、図７に示すように、運転席のある１列目とその後ろの２列目の座席２０をフラットモードにした場合であってよいことは勿論である。
【符号の説明】
【００３３】１（１ａ、１ｂ、１ｃ）  横支持部材
２  平板部材
３  縦支持部材
４  隙間支持部材
５  シート部材
１０  自動車
２０  座席
２１  背凭れ
２２  座面
【図１】
2015166231.tif 000003
【図２】
2015166231.tif 000004
【図３】
2015166231.tif 000005
【図４】
2015166231.tif 000006
【図５】
2015166231.tif 000007
【図６】
2015166231.tif 000008
【図７】
2015166231.tif 000009
【手続補正書】
【提出日】平成26年10月2日(2014.10.2)
【手続補正１】
【補正対象書類名】明細書
【補正対象項目名】全文
【補正方法】変更
【補正の内容】
【発明の詳細な説明】
【技術分野】
【０００１】  本発明は、自動車の座席の背凭れを後方に倒してフラットモードとした上面をフラットフロアにするための自動車のフラットフロア構築用部材セット及びフラットフロア構築方法に関するものである。
【背景技術】
【０００２】  座席の背凭れを後方に倒してフラットモードとすることにより、身体を横にしたり、足を伸ばしたり、またベッドとして使用できるレジャー向けの自動車がある。しかしながら、座席をフラットモードとした場合においても座席に形成された凹凸や段差により、快適性に欠けるものであった。【０００３】  そこで、凹凸や段差を解消してフラットフロアを構築できるものとして、下面に凹凸、段差の形状に嵌合する凹凸面を備えたマットが知れている（特許文献１、２参照）。
ところが、これはマットの下面の凹凸面が一定箇所にあるため、座席のサイズ、形状等が異なる車種に応じたマットを製造しなければならい問題がある。
【先行技術文献】
【特許文献】
【０００４】
【特許文献１】  特開平９−２８５３６４号公報
【特許文献２】  特開昭５７−２１１３１４号公報
【発明の概要】
【発明が解決しようとする課題】
【０００５】  本発明は従来の問題点を解決して、自動車の座席をフラットモードにした上面を、簡便にかつ安全にフラットフロアを構築できる自動車のフラットフロア構築用部材セット及びフラットフロア構築方法を提供することを目的として完成されたものである。
【課題を解決するための手段】
【０００６】  本発明にかかる自動車のフラットフロア構築用部材セットは、自動車の座席の背凭れを後方に倒してフラットモードとした上面にフラットフロアを構築するのに使用する自動車のフラットフロア構築部材セットであって、前後列の座席の背凭れを後方に倒してフラットモードした上面に前記前後列に対して横方向に延びるように配置する太さの異なる複数本の横支持部材と、該横支持部材に支持される前後列に対して横方向に複数枚に分割され、個々においては前後列の方向である縦方向に延びる平板部材とよりなるものを基本の発明としたものである。【０００７】  また、前後列の座席の先方の座席の前側に立設する複数本の縦支持部材を備え、該複数本の縦支持部材の上端に配置する横支持部材を備えたものとしてもよい。【０００８】  また、前記フラットモードとした座席の上面に、さらに配置する隙間支持部材を備えたものとしてもよい。また、前記複数枚に分割した平板部材の全枚数又は少なくとも一枚をさらに前後方向に２分割してもよい。【０００９】  また、本発明にかかる自動車のフラットフロア構築方法は、自動車の座席の背凭れを後方に倒してフラットモードとした上面をフラットフロアに構築する自動車のフラットフロア構築方法であって、前後２列の座席の背凭れを後方に倒してフラットモードした後に、該フラットモードのトップ高さ箇所を水平基準として、該水平基準に合うように太さの異なる複数本の横支持部材をフラットモードした上面に前記前後列に対して横方向に延びるように配置して、前記トップ高さ箇所及び複数本の横支持部材の上端に平板部材を支持させて、該平板部材の上面によりフラットフロア構築することを特徴とするものである。【００１０】  前記した本発明にかかる自動車のフラットフロア構築用部材セットによれば、前後列の座席の背凭れを後方に倒してフラットモードにして、該フラットモード座席の上面に前記前後列に対して横方向に延びるように配置する太さの異なる複数本の横支持部材を配置して、該複数本の横支持部材に支持される前後列に対して横方向に複数枚に分割され、個々においては前後列の方向である縦方向に延びる平板部材を支持すれば、該平板部材の上面によりフラットフロアを構築できるものである。すなわち、複数本の横支持部材は太さの異なるものであるから、座席の前後の凹凸箇所を選択して、該複数本の横支持部材の上端同士が水平となる箇所に配置できるので、該複数本の横支持部材に平板部材を支持して水平面としたフラットフロアを簡便にかつ安全に構築できるものである。【００１１】  このように構築されたフラットフロアは凹凸がないことから、快適に身体を横にしたり、足を伸ばしたり、また、ベッドして使用できるものである。また、フラットフロアの解除は、平板部材を取り除いたうえ横支持部材を取り除いて、背凭れを起立させれば容易に行えるものである。そして、本発明は、太さの異なる複数本の横支持部材と、複数枚に分割した平板部材とよりなるものであるから、座席の下や車庫にコンパクトに保管できるものである。【００１２】  また、前後列の座席の先方の座席の前側に立設する複数本の縦支持部材を備え、該複数本の縦支持部材の上端に配置する横支持部材を備えたものとすれ���、平板部材の前後方向の先端も支持することとなり、より安定したフラットフロアを構築できるものである。なお、前後列の座席が前後３列の座席のうち運転席の後ろであれば、運手席とフラットフロアとの間を車内で行き来する場合に平板部材の先端が支持されているので、平板部材の先端に足をのせても該先端が落ち込むという不都合はないものである。【００１３】  また、前記フラットモードとした座席の上面に、さらに配置する隙間支持部材を備えたものにあっては、前記フラットモードのトップ高さ箇所を水平基準として、該トップ高さ箇所の横方向の底部箇所に該隙間支持部材を配置し、該隙間支持部材と前記トップ高さ箇所と該水平基準に合うようにした前記複数本の横支持部材の上端により平板部材を支持することとなり、より安定したフラットフロア構築できるものである。【００１４】  また、前記複数枚に分割した平板部材の全枚数又は少なくとも一枚をさらに前後方向に２分割したものとすると、取扱いが容易となるものである。【００１５】  また、本発明にかかる自動車のフラットフロア構築方法によれば、前後列の座席の背凭れを後方に倒してフラットモードした後に、該フラットモードのトップ高さ箇所を水平基準として、該水平基準に合うように太さの異なる複数本の横支持部材をフラットモードした上面に前記前後列に対して横方向に延びるように配置して、前記トップ高さ箇所及び複数本の横支持部材の上端に平板部材を支持させて、該平板部材の上面によりフラットフロアを簡便にかつ安全に構築できるものである。
【図面の簡単な説明】
【００１６】
【図１】本発明の実施形態を示す概略説明図である。
【図２】本発明の実施形態を態様を異にして示す概略説明図である。
【図３】本発明の実施形態の概略側面図である。
【図４】本発明の実施形態に使用する部材セットの一例を示す斜視図である。
【図５】本発明の実施形態に使用する部材セットの保管状態の一例を示す斜視図である。
【図６】平板部材を全枚数を前後方向に２分割したものを示す斜視図であり、（イ）は分割した平板部材、（ロ）は分割した平板部材を折り畳み自在としたものを示す。
【図７】本発明の実施形態の他例を示す概略説明図である。
【発明を実施するための形態】
【００１７】  次に、本発明の実施形態を図を参照して説明する。
【００１８】  先ず、図１、図２、図３において、１０は本発明によりフラットフロアを構築する自動車であり、前後３列に座席を設けたものである。この実施形態は２列目及び３列目である前後列の座席２０の背凭れ２１を後方に倒して座面２２と略同じ水平にしてフラットモードにして、身体を横にしたり、足を伸ばしたり、また、ベッドして使用するものにおいて説明する。
【００１９】  本発明に係る自動車のフラットフロア構築用部材セットは、前記フラットモードにした前後列である２列目及び３列目の座席２０の上面にフラットフロアを構築するものである。
【００２０】  １は横支持部材であり、前後列の座席２０の背凭れ２１を後方に倒してフラットモードした上面に前記前後列に対して横方向に延びるように配置するものである。該横支持部材１はこの実施形態では図示のように太さの異なる複数本すなわち３本を備えたものである。この横支持部材１の２本は、フラットモードにした２列目及び３列目の座席２０の座面２２に載置するものである。
【００２１】  また、残りの横支持部材１は前後列の先方の座席２０の前側に立設する複数本すなわち３本の縦支持部材３の上端に配置するものである。なお、これらの横支持部材１は、２列目の座席２０の座面２２に載置する横支持部材１（１ａ）は太さを７０ｍｍ、３列目の座席２０の座面２２に載置する横支持部材１（１ｂ）は太さを３５ｍｍ、また、３本の縦支持部材３の上端に配置する横支持部材１（１ｃ）は太さを４０ｍｍとして、各横支持部材１の長さは自動車の内幅よりやや短い長さである１２６ｃｍとしたものである。なお、材料は木製角材を使用したが、これに限定さることなく、プラスチック、軽量金属を角パイプ状としたものであってもよい。
【００２２】  また、３本の縦支持部材３は直径７５ｍｍ、高さ４０ｃｍの円筒状の紙管よりなるものとして、上端に深さが３５ｍｍの幅３８ｍｍの嵌合凹部３ａを設けて前記横支持部材１（１ｃ）を上端が露出するように嵌合支持するものとしている。なお、縦支持部材３は前記の大きさ、材料に限定さるものではなく、これもプラスチック、軽量金属あってもよく、形状も円筒状に限らず角筒状としてもよい。
【００２３】  ２は前後列に対して横方向に複数枚に分割され、個々においては前後列の方向である縦方向に延びる平板部材であり、該平板部材２は前記前後２列のフラットモードとした座席２０の上面に配置した太さの異なる複数本の横支持部材１（１ａ、１ｂ）に支持されて、該平板部材２の上面によりフラットフロアを構築するものである。なお、該平板部材２は板材を縦に３分割した縦１７３ｃｍ、幅４２ｃｍ、厚さ１３ｍｍのものを３枚より構成したものである。この平板部材２は充分に剛性があり、取扱いの容易な重量である桐集成材よりなるものとしている。因みに、桐集成材よりなる該平板部材２は３枚の全重量が約８ｋｇのものである。しかし、他の材料を使用してもよいことは勿論である。なお、平板部材２は分割したものを折り畳み自在に連結してもよいものである。また、取扱いが容易な点から平板部材２を３分割にしたものが好ましが、２枚、４枚としてよいものである。
【００２４】  さらに、前記前後列に対して横方向に複数枚に分割した平板部材２の全枚数又は少なくとも一枚を前後方向に２分割したものとしてもよい。すなわち、図６（イ）に示すように平板部材２を全枚数を前後方向に２分割したり、また、図６（ロ）に示すように分割した平板部材２を折り畳み自在とすれば、狭い車内にあっても取扱いが容易となるものである。なお、平板部材２の全枚数のうち１枚、２枚を前記のように分割してもよい。
【００２５】  なお、前記したように残りの横支持部材１（１ｃ）を前後列の先方の座席２０の前側に立設した３本の縦支持部材３の上端に配置したものにあっては、平板部材２の前後方向の先端も支持することとなり、より安定したフラットフロアが構築できるものである。また、この実施形態のように、前後列の座席２０が前後３列の座席のうち運転席の後ろであれば、運手席とフラットフロアとの間を車内で行き来する場合に平板部材２の先端に足をのせても該先端が落ち込むという不都合はないものである。
【００２６】  前記したように、複数本の横支持部材１（１ａ、１ｂ）は太さの異なるものであるから、座席２０の前後の凹凸箇所を選択して、該複数本の横支持部材１（１ａ、１ｂ）の上端同士が水平となる箇所に配置できるので、該複数本の横支持部材１（１ａ、１ｂ）に平板部材２を支持させることにより水平面としたフラットフロアを簡便にかつ安全に構築できるものである。
【００２７】  このように構築されたフラットフロアは凹凸がないことから、快適に身体を横にしたり、足を伸ばしたり、また、ベッドして使用できるものである。また、フラットフロアの解除は、平板部材２を取り除いたうえ横支持部材１を取り除いて、背凭れ２１を起立させれば容易に行えるものである。そして、フラットフロアを解除した太さの異なる複数本の横支持部材１と、複数枚に分割した平板部材２とよりなるものであるから、座席の下や車庫にコンパクトに保管できるものである。
【００２８】  また、前記フラットモードとした座席２０の上面に、さらに配置する隙間支持部材４を備えたものとすることができる。この隙間支持部材４は前記フラットモードのトップ高さ箇所を水平基準として、該トップ高さ箇所の横方向の底部箇所に該隙間支持部材４を配置し、該隙間支持部材４と前記トップ高さ箇所と該水平基準に合うようにした前記複数本の横支持部材１（１ａ、１ｂ）の上端により平板部材２を支持することとなり、より安定したフラットフロア構築できるものである。なお、前記トップ高さ箇所は、この実施形態にあっては２列目の座席２０の背凭れ２１の前側の中央部分Ａが当たるものである。
【００２９】  また、前記平板部材２を図５に示すように３枚に分割したものを折り畳み自在に連結したものとすれば、保管も容易なものとなる。
【００３０】  なお、前記フラットモードした上面に配置する太さの異なる複数本の横支持部材１が２列目及び３列目の座席２０の座面２２に載置する２本であってもよい、この２本の横支持部材１でも前記平板部材２を的確に支持してフラットフロアを構築できるものである。
【００３１】  さらに、前記平板部材２の上面により形成したフラットフロアの表面にシート部材を敷いてもよいものであり、このシート部材５は図５に示すように部材セットを纏めて梱包するのに使用できるものである。
【００３２】  前記実施形態は、２列目及び３列目の座席２０の上面にフラットフロアを構築するものを説明したが、図７に示すように、運転席のある１列目とその後ろの２列目の座席２０をフラットモードにした場合であってよいことは勿論である。
【符号の説明】
【００３３】１（１ａ、１ｂ、１ｃ）  横支持部材
２  平板部材
３  縦支持部材
４  隙間支持部材
５  シート部材
１０  自動車
２０  座席
２１  背凭れ
２２  座面
【手続補正２】
【補正対象書類名】特許請求の範囲
【補正対象項目名】全文
【補正方法】変更
【補正の内容】
【特許請求の範囲】
【請求項１】
自動車の座席の背凭れを後方に倒してフラットモードとした上面にフラットフロアを構築するのに使用する自動車のフラットフロア構築部材セットであって、前後列の座席の背凭れを後方に倒してフラットモードした上面に前記前後列に対して横方向に延びるように配置する太さの異なる複数本の横支持部材と、該横支持部材に支持される前後列に対して横方向に複数枚に分割され、個々においては前後列の方向である縦方向に延びる平板部材とよりなる自動車のフラットフロア構築部材セット。
【請求項２】
先方の座席の前側に立設する複数本の縦支持部材を備え、該複数本の縦支持部材の上端に配置する横支持部材を備えた請求項１に記載の自動車のフラットフロア構築部材セット。
【請求項３】
前記フラットモードとした座席の上面に、さらに配置する隙間支持部材を備えた請求項１又２に記載の自動車のフラットフロア構築部材セット。
【請求項４】
前記複数枚に分割した平板部材の全枚数又は少なくとも一枚をさらに前後方向に２分割した請求項１〜３のいずれか１項に記載の自動車のフラットフロア構築部材セット。
【請求項５】
自動車の座席の背凭れを後方に倒してフラットモードとした上面をフラットフロアに構築する自動車のフラットフロア構築方法であって、前後２列の座席の背凭れを後方に倒してフラットモードした後に、該フラットモードのトップ高さ箇所を水平基準として、該水平基準に合うように太さの異なる複数本の横支持部材をフラットモードした座席の上面に前記前後列に対して横方向に延びるように配置して、前記トップ高さ箇所及び複数本の横支持部材の上端に平板部材を支持させて、該平板部材の上面によりフラットフロア構築したことを特徴とする自動車のフラットフロア構築方法。